(57)【要約】【課題】  取り付け及び、取替え作業性の良い、誘導標識ポスト用カバーを提供することである。【解決手段】  コースの境界上に設けた誘導標識ポスト１を挿入可能な内径を有し、両端を開放した筒状本体９と、この筒状本体９の外周に設けた環状の高輝度反射部１０と、上記筒状本体の一端側に連続して設けるとともに、上記筒状本体の内径側へ移動可能な可撓性を有し、線状綴じ部材で絞ることによって、誘導標識ポストの外周に止め付け可能な絞り部１４とを備えた。【選択図】  図１
2008231692.tif 000002
【特許請求の範囲】
【請求項１】
コースの境界上に設けた誘導標識ポストを挿入可能な内径を有し、両端を開放した筒状本体と、この筒状本体の外周に設けた環状の高輝度反射部と、上記筒状本体の一端側に連続して設けるとともに、上記筒状本体の内径側へ移動可能な可撓性を有し、線状綴じ部材で絞ることによって、誘導標識ポストの外周に止め付け可能な絞り部とを備えた誘導標識ポスト用カバー。
【請求項２】
上記筒状本体を透明部材で形成した請求項１に記載の誘導標識ポスト用カバー。
【請求項３】
上記絞り部外周には、線状綴じ部材を案内するための案内凹部を設けた請求項1または２に記載の誘導標識ポスト用カバー。
【請求項４】
上記絞り部内周には、内径側に突出した１または複数の止め凸部を形成した請求項1〜３のいずれか１に記載の誘導標識ポスト用カバー。
【発明の詳細な説明】
【技術分野】
【０００１】
この発明は、道路の車線を分離したり、自動車や人を誘導したりするために、路面に固定する誘導標識ポスト用カバーに関する。
【背景技術】
【０００２】
従来から、車線を分離するため、車線の境界部に設置する誘導標識ポストとして、図５に示すものが知られている。この誘導標識ポスト１は、ウレタンゴム製のポスト本体２と、脚部３とからなり、この脚部３を図示しないボルトなどで路面に固定するようにしている。上記ポスト本体２はウレタンゴム製で、車両などが衝突して外力が作用した場合には、図５に二点鎖線で示すように曲がって倒れるが、外力から開放されると、元通りに起立するようにしている。
また、上記ポスト本体２には、一定間隔で、複数の帯状の高輝度反射部４が設けられている。これらの高輝度反射部４は、高輝度反射シートを表面に固定して構成したもので、ポスト本体２の他の部分より反射輝度を高くしている。そのため、夜間やトンネル内など、薄暗いところでも、上記高輝度反射部４が明るく目立って、走行中の車両などから認識し易いようにしている。
【０００３】
このような誘導標識ポストは、道路など野外に設置されるので、紫外線や、風雨にさらされるとともに、車両によって傷つけられることがあるが、上記高輝度反射部４の表面が傷ついてしまうと、その反射輝度が低下してしまう。
このように、高輝度反射部４が劣化して、反射輝度が低下してしまった誘導標識ポストは、夜間など、見え難くその役目を果たさないばかりか、単なる障害物となってしまうこともある。そのため、上記高輝度反射部４を損傷から保護するために、この高輝度反射部４を外部から覆う保護カバーを予め取り付けた標識ポストも知られている（特許文献１，２参照）。
【０００４】
しかし、このような保護カバーを設けた標識ポストでも、長期間野外に設置されれば、保護カバーの損傷だけでなく、ポスト本体２に形成した高輝度反射部４が傷ついてしまうことがある。そこで、一定期間使用して、高輝度反射部４が傷つき、反射輝度が低下した誘導標識ポスト１に、図６に示すポストカバー５を被せて使用することも知られていた。
【０００５】
上記ポストカバー５は、底面を円形とした袋状のビニール製のカバー本体６に、高輝度反射テープ７を所定の間隔で取り付けたものである。カバー本体６は、これを被せる誘導標識ポストのポスト本体２の外径とほぼ等しい内径を持ち、上記ポスト本体２と同色である。
このようなポストカバー５を高輝度反射部４が劣化した誘導標識ポスト１の先端から被せて、ポスト本体２全体をポストカバー５で覆うようにする。カバー本体６の内径は、ポスト本体２の外径とほぼ等しいので、一旦被せたポストカバー５は外れ難く、表面の高輝度反射テープ７が、劣化した高輝度反射部４の代わりに機能する。
【特許文献１】特開平６−２４８６１８号公報
【特許文献２】特開２００１−２０２３２号公報
【発明の開示】
【発明が解決しようとする課題】
【０００６】
上記ポストカバー５は、上記したように、ポスト本体２の外周にぴったりはまるので、一旦、被せると外れ難いが、言い換えれば、被せる際には被せ難いということである。
特に、ポスト本体２が、ウレタンゴム製なので、ビニール製のカバー本体６は、ポスト本体２に対して滑りにくい。図６の矢印Ａのように、カバー本体６を引き下げる際にも、ポスト本体２の表面にカバー本体６が引っ掛かってしまって、うまく被せることができない。つまり、従来のポストカバー５では、取り付け作業性が悪いという問題があった。
さらに、このポストカバー５が汚れてしまったときには、それを取り外して、再度、新しいポストカバー５を被せなければならないが、取り外す際にも、ポスト本体２に引っ掛かってしまうので、取替え作業性も悪かった。
【０００７】
この発明の目的は、取り付け及び、取替え作業性の良い、誘導標識ポスト用カバーを提供することである。
【課題を解決するための手段】
【０００８】
第１の発明は、コースの境界上に設けた誘導標識ポストを挿入可能な内径を有し、両端を開放した筒状本体と、この筒状本体の外周に設けた環状の高輝度反射部と、上記筒状本体の一端側に連続して設けるとともに、上記筒状本体の内径側へ移動可能な可撓性を有し、線状綴じ部材で絞ることによって、誘導標識ポストの外周に止め付け可能な絞り部とを備えた点に特徴を有する。
【０００９】
第２の発明は、上記第１の発明を前提とし、上記筒状本体を透明部材で形成した点に特徴を有する。
第３の発明は、上記第１または第２の発明を前提とし、上記絞り部外周には、線状綴じ部材を案内するための案内凹部を設けた点に特徴を有する。
第４の発明は、上記第１〜第３の発明を前提とし、上記絞り部内周には、内径側に突出した１または複数の止め凸部を形成した点に特徴を有する。
【発明の効果】
【００１０】
第１〜第４の発明のカバーは、従来のように、誘導標識ポストの表面に引っ掛かってしまうことがないので、誘導標識ポストに、簡単に被せたり、外したりすることができる。
また、被せたカバーを線状綴じ部材で、ポスト本体に縛り付けるように止めるので、固定作業も簡単で、しかも、この線状綴じ部材を切断すれば、簡単にカバーを外すことができる。
すなわち、高輝度反射部が劣化した誘導標識ポストに、新たな高輝度反射部を備えたカバーを取り付けたり、取り替えたりする際の作業性を、大幅に向上させることができる。
【００１１】
さらに、筒状本体の両端が開放されているので、筒状本体から誘導標識ポストの先端を突出させることもできる。ポストの長さにかかわりなく、カバーの位置を変更できるので、カバーに設けた高輝度反射部の位置を任意の位置に調整することも可能である。これにより、カバーの高輝度反射部を、路面に設置されている誘導標識ポストの高輝度反射部の位置に合わせることも容易であるし、高輝度反射部をより視認しやすい位置に調整することも可能である。
【００１２】
第２の発明によれば、筒状本体を透明にしたことにより、このカバーを装着する誘導標識ポストのポスト本体の色をそのまま活かすことができる。従って、ポストカバーをポスト本体の色に合わせて着色する必要がなく、どの色のポストにも、同じポストカバーを共通に用いることができる。従って、ポスト本体の色ごとに、専用のカバーを用意する場合と比べて、取り付けコストを下げることができる。
【００１３】
また、第３の発明によれば、案内凹部に沿って線状綴じ部材を設けることができるので、線状綴じ部材を巻きつける位置がずれにくく、緩みなく締め付けることができる。従って、カバーを簡単かつ確実に、ポストに止めることができるようになる。
第４の発明によれば、絞り部内周に形成した凸部が、ポスト本体に食い込んでより確実に、カバーを止めることができる。
【発明を実施するための最良の形態】
【００１４】
図１〜図４を用いて、この発明の誘導標識ポスト用カバーの一実施形態を説明する。
図１に示す、この実施形態の誘導標識ポスト用のカバー８は、両端を開口させた透明樹脂製の筒状本体９の一端に、固定部材１１を設けたものである。なお、このカバー８も、図５に示す誘導標識ポスト１に被せて用いるもので、上記筒状本体９を、内径がポスト本体２の外径よりもやや大きな円筒としている。
そして、上記筒状本体９の外周には、高輝度反射テープを貼り付けて、環状の高輝度反射部１０を形成している。この実施形態では、３本の高輝度反射テープを、等間隔で貼り付けているが、高輝度反射部１０の数や間隔は、視認性がよければどのようにしてもかまわない。
【００１５】
上記筒状本体９の端部に設けた固定部材１１も、樹脂製部材であり、図２，図３に示すように、筒部１２の一端にフランジ部１３を設け、このフランジ部１３を介して上記筒部１２と反対側に、円周方向に等間隔に３つの絞り片１４を備えている。
上記筒部１２は、内径を、図５に示す誘導標識ポスト１のポスト本体２の外径より僅かに大きくした円筒であるが、その側面は、フランジ部１３側の基端１２ａよりも先端１２ｂに向かって厚みを薄くして、円筒の外側面を先端に向かって細くしている。さらに、筒部１２の外側面には、軸方向に沿って僅かに隆起した線状隆起部１２ｃを形成している。
【００１６】
また、上記３つの絞り片１４は、それぞれ、上記フランジ部１３側の基端１４ａを、上記筒部１２の内周面に連続させているが、先端１４ｂを筒部１２の直径方向外側へ、傘のように開いている。このような絞り片１４は、樹脂の弾性により可撓性を有し、先端１４ｂを外側から押すことによって、内径側へ移動させることができる構成にしている。つまり、この実施形態では、上記３つの絞り片１４によって、この発明の絞り部を構成している。
【００１７】
さらに、各絞り片１４の先端側外周面には、一対の線状凸部１５，１５を円周上に連続的に形成し、これら線状凸部１５，１５によって、その間に線状凹部１６を形成している。さらにまた、絞り片１４の内周面には、ピラミッド状の、先端が尖った複数の点状凸部１７を、筒部１２の軸線を中心とする円周上に連続的に形成している。
【００１８】
そして、上記固定部材１１の筒部１２を、その先端からフランジ部１３が突き当たるまで、上記筒状本体９内に挿入し、溶着によって筒状本体９と固定部材１１とを一体化している。これにより、外周に高輝度反射部１０を備えた筒状本体９の一端に、その先端に向かって僅かに開いている３つの絞り片１４を備えたカバー８が形成される。なお、上記固定部材１１の筒部先端１２ｂの外周がわずかに細くなっていることにより、筒状本体９へ固定部材１１を挿入し易くして、カバー８の組み立て作業性を上げている。また、筒部１２の線状隆起部１２ｃによって、筒部１２と筒状本体９とがぴったりと一致し、両部材の溶着前の仮止めができる。
ただし、上記筒状本体９と固定部材１１とを別部材とせず、筒状本体９に絞り部を一体的に形成してもよい。
【００１９】
上記のようにして形成されたカバー８を、路上に固定されている誘導標識ポスト１に被せる場合には、上記固定部材１１の絞り片先端１４ｂ側から、路上に固定されている誘導標識ポスト１の先端を挿入するようにして、ポスト本体２に筒状本体９をかぶせる。そして、上記高輝度反射部１０が、適当な位置になるまでカバー８を下げたら、上記絞り片１４外周の線状凹部１６内に沿って締結バンド１８をまわし、それを引き締める。締結バンド１８とは、止め孔１８ａを通過させてリング状にしたバンドの端を矢印Ｂ方向へ引っ張るとリングを小さくすることができるが、上記止め孔１８ａはバンドの緩み方向の移動を規制し、緩むことがないように構成されたバンドである。
【００２０】
このように、締結バンド１８を引き締めると、絞り片１４がポスト本体２に向かって絞られ、カバー８全体を所定の位置でポスト本体２に固定することができる。この実施形態では、上記締結バンド１８が、この発明の線状綴じ部材であるが、上記締結バンド１８の代わりに、ワイヤーや樹脂テープなど、他の線状部材などを用いることもできる。また、上記線状凹部１６は、この発明の案内凹部であり、このような線状凹部１６が、締結バンド１８など、線状綴じ部材を円周上に案内すれば、緩み難く絞る作業が容易になるので、固定作業の作業性も向上する。
【００２１】
上記カバー８は、従来例の袋状カバー本体６と違って、円筒形状を保った筒状本体９からなるので、内部にポスト本体２を挿入する際に、引っ掛かることもなく、挿入し易いため、取り付け作業性がよい。
特に、この実施形態では、ポスト本体２の挿入方向先端となる上記絞り片１４の先端１４ｂ側が、直径方向外側に開いているので、ポスト本体２の挿入がさらにやり易くなる。
さらに、筒状本体９は両端が開放されているので、誘導標識ポスト１への装着状態で、ポスト本体２の先端を筒状本体９から突出させることもできる。そのため、ポスト本体２の長さにかかわらず、筒状本体９に設けた高輝度反射部１０の位置を、視認しやすい高さに調整することができる。
【００２２】
また、上記締結バンド１８を引き締めることによって絞られた絞り片１４の内周面には、複数の点状凸部１７を形成しているので、この点状凸部が、ウレタンゴム製のポスト本体２に食い込んで、保持力を強くすることがきる。この点状凸部１７が、この発明の止め凸部を構成している。
一方、上記のようにして、ポスト本体２に取り付けたカバー８を取り外す必要があるときには、上記締結バンド１８などの線状綴じ部材を切断することによって、絞り部の保持力を簡単に解除できる。つまり、このカバー８は、とり外し作業も簡単である。
【００２３】
また、この実施形態のカバー８は、筒状本体９を透明にしているため、高輝度反射部１０以外の部分では、内側に挿入されたポスト本体２の色をそのまま活かすことができる。そのため、どのような色の誘導標識ポスト１に被せる場合でも、同じカバー８を共通に用いることができる。
ただし、筒状本体９を透明にしないで、ポスト本体２の色に合わせて着色し、色ごとに、専用のカバーとしてもかまわない。
【００２４】
なお、この発明の絞り部は、上記実施形態の絞り片１４に限らず、円筒に軸方向のスリットを形成したり、軸方向の多数のプリーツを形成したり、材質を選択したりして、内周側に変形可能にすればよい。ただし、絞り力を作用させない状態では、必要以上に内周側に変形することがなく、ポスト本体２に引っ掛からない構成にする必要がある。
また、絞り部先端は、直径方向外側に向かって開いていなくてもかまわない。ただし、上記実施形態のように、少しでも、外側に向かって開いていれば、ポスト本体２をより挿入し易い。
【図面の簡単な説明】
【００２５】
【図１】実施形態の誘導標識ポスト用カバーの斜視図である。
【図２】実施形態の固定部材の斜視図である。
【図３】図２の断面図である。
【図４】実施形態のカバーを、誘導標識ポストに装着した状態を示した斜視図である。
【図５】誘導標識ポストの一例を示した斜視図である。
【図６】従来例のカバーを誘導標識ポストに装着している状態を示した斜視図である。
【符号の説明】
【００２６】
１      誘導標識ポスト
８      カバー
９      筒状本体
１０    高輝度反射部
１１    固定部材
１２    筒部
１４    絞り片
１６    線状凹部
１７    点状凸部
【図１】
2008231692.tif 000003
【図２】
2008231692.tif 000004
【図３】
2008231692.tif 000005
【図４】
2008231692.tif 000006
【図５】
2008231692.tif 000007
【図６】
2008231692.tif 000008